【手続補正書】
【提出日】平成18年6月16日(2006.6.16)
【手続補正１】
【補正対象書類名】明細書
【補正対象項目名】特許請求の範囲
【補正方法】変更
【補正の内容】
【特許請求の範囲】
【請求項１】少なくとも高分子フィルム（Ａ）、凹凸層（Ｂ）、銀或いはアルミニウムを主体とする金属反射層（Ｃ）からなる構成ＡＢＣの反射体において、銀或いはアルミニウムを主体とする金属反射層（Ｃ）側から、測定した全反射率が、波長５５０ｎｍにおいて８０％以上であり、かつ、反射ヘイズ値（拡散反射率／全反射率×１００）が３０％以上であることを特徴とする反射シート。
【請求項２】 金属反射層（Ｃ）が、高分子側から、下地層、銀層、銀を主体とする合金層、透明酸化物層の４層で構成される請求項１記載の反射シート。
【請求項３】金属反射層（Ｃ）における下地層が、金、銅、ニッケル、鉄、コバルト、タングステン、モリブデン、タンタル、クロム、インジウム、マンガン、チタン、もしくは、パラジウムからなる厚さ５〜５０ｎｍの金属層、または、酸化アルミニウムが０〜５重量％ドープされた酸化亜鉛、または、インジウムとスズの酸化物（ＩＴＯ）からなる厚さ１〜２０ｎｍの透明酸化物層であることを特徴とする請求項１または２に記載の反射シート。
【請求項４】 金属反射層（Ｃ）における銀層の厚みが、７０〜４００ｎｍであることを特徴とする請求項１乃至３のいずれかに記載の反射シート。
【請求項５】 金属反射層（Ｃ）における銀を主体とする合金層が、銀に対し銅とパラジウムをあわせて０．００１〜２重量％含有している合金からなる層であり、該合金層の膜厚が、５〜４０ｎｍであることを特徴とする請求項１乃至４のいずれかに記載の反射シート。
【請求項６】金属反射層（Ｃ）における透明酸化物層が、酸化アルミニウムが０〜５重量％ドープされた酸化亜鉛、または、インジウムとスズの酸化物（ＩＴＯ）からなる厚さ１〜２０ｎｍの透明酸化物、あるいは厚みが、１〜５０ｎｍであるような珪素酸化物層であることを特徴とする請求項１乃至５のいずれかに記載の反射シート。
【請求項７】 金属反射層（Ｃ）が、アルミニウム層単層により構成されることを特徴とする請求項１記載の反射シート。
【請求項８】 金属反射層（Ｃ）におけるアルミニウム層の厚みが、７０〜４００ｎｍであることを特徴とする請求項７に記載の反射シート。
【請求項９】 凹凸層（Ｂ）が、平均粒径１μｍ以上１５μｍ以下であるような微細粒子、および、バインダーにより形成され、かつ、該微細粒子が凹凸層の体積に対し、５〜５２体積％の割合になるように配合され、かつ、該凹凸層の乾燥重量（ｇ／ｃｍ2）が下記式（１）の条件を満足するものであることを特徴とする請求項１〜８のいずれかに記載の反射シート。
式（１）：０．６×２ｒ×１０2／（ｐ／ａ＋（１００−ｐ）／ｂ）≦重量（ｇ／ｃｍ2）≦２．５×２ｒ×１０2／（ｐ／ａ＋（１００−ｐ）／ｂ）
但し、ｐ＝１００／（１＋（１００／ｖ―１）×ｂ／ａ）であり、
ｒ：使用した微細粒子の半径の平均値（ｃｍ）
ｐ：凹凸層中の微細粒子の割合（重量％）
ｖ：凹凸層中の微細粒子の割合（体積％）
ａ：用いた微細粒子の密度（ｇ／ｃｍ3）
ｂ：用いたバインダーの密度（ｇ／ｃｍ3）
【請求項１０】 微細粒子が、アクリル系粒子であることを特徴とする請求項９に記載の反射シート。
【請求項１１】 バインダーが、アクリル系樹脂であることを特徴とする請求項９または１０記載の反射シート。
【請求項１２】 請求項1〜１１のいずれかに記載の反射シートの高分子フィルム層（Ａ）側を接着面として、支持体に接着層を介して積層してなるリフレクター。
【請求項１３】 支持体が、アルミ板、真鍮板、ステンレス板、鋼板、或いはプラスチック製の板及びシートのいずれかであることを特徴とする請求項1２に記載のリフレクター。
【請求項１４】 高分子フィルム（Ａ）と支持体との接着強度が１００ｇ／ｃｍ以上であり、かつ、接着層の厚みが０．５μm以上５０μm以下であることを特徴とする請求項１２または１３記載のリフレクター。
【請求項１５】 金属反射層（Ｃ）側を内側に折り曲げ、光源を覆うように設置して使用することを特徴とする請求項１２〜１４に記載のリフレクター。
【請求項１６】高分子フィルム（Ａ）と支持体との接着強度が１００ｇ／ｃｍ以上であり、かつ、接着層の厚みが０．５μm以上５０μm以下であり、かつ、金属反射層側の曲率半径が５ｍｍ以下であることを特徴とする請求項１５に記載のリフレクター。
【手続補正２】
【補正対象書類名】明細書
【補正対象項目名】０００９
【補正方法】変更
【補正の内容】
【０００９】
（３）金属反射層（Ｃ）における下地層が、金、銅、ニッケル、鉄、コバルト、タングステン、モリブデン、タンタル、クロム、インジウム、マンガン、チタン、もしくは、パラジウムからなる厚さ５〜５０ｎｍの金属層、または、酸化アルミニウムが０〜５重量％ドープされた酸化亜鉛、または、インジウムとスズの酸化物（ＩＴＯ）からなる厚さ１〜２０ｎｍの透明酸化物層であることを特徴とする上記（１）または（２）に記載の反射シート。
【手続補正３】
【補正対象書類名】明細書
【補正対象項目名】００１０
【補正方法】変更
【補正の内容】
【００１０】
（４）金属反射層（Ｃ）における銀層の厚みが、７０〜４００ｎｍであることを特徴とする上記（１）乃至（３）のいずれかに記載の反射シート。
【手続補正４】
【補正対象書類名】明細書
【補正対象項目名】００１１
【補正方法】変更
【補正の内容】
【００１１】
（５）金属反射層（Ｃ）における銀を主体とする合金層が、銀に対し銅とパラジウムをあわせて０．００１〜２重量％含有している合金からなる層であり、該合金層の膜厚が、５〜４０ｎｍであることを特徴とする上記（１）乃至（４）のいずれかに記載の反射シート。
【手続補正５】
【補正対象書類名】明細書
【補正対象項目名】００１２
【補正方法】変更
【補正の内容】
【００１２】
（６）金属反射層（Ｃ）における透明酸化物層が、酸化アルミニウムが０〜５重量％ドープされた酸化亜鉛、または、インジウムとスズの酸化物（ＩＴＯ）からなる厚さ１〜２０ｎｍの透明酸化物、あるいは厚みが、１〜５０ｎｍであるような珪素酸化物層であることを特徴とする上記（１）乃至（５）のいずれかに記載の反射シート、
（７）金属反射層（Ｃ）が、アルミニウム層単層により構成されることを特徴とする上記（１）記載の反射シート。
【手続補正６】
【補正対象書類名】明細書
【補正対象項目名】００１３
【補正方法】変更
【補正の内容】
【００１３】
（８）金属反射層（Ｃ）におけるアルミニウム層の厚みが、７０〜４００ｎｍであることを特徴とする上記（７）記載の反射シート。
【手続補正７】
【補正対象書類名】明細書
【補正対象項目名】００１４
【補正方法】変更
【補正の内容】
【００１４】
（９）凹凸層（Ｂ）が、平均粒径１μｍ以上１５μｍ以下であるような微細粒子、および、バインダーにより形成され、かつ、該微細粒子が凹凸層の体積に対し、５〜５２体積％の割合になるように配合され、かつ、該凹凸層の乾燥重量（ｇ／ｃｍ2）が下記式（１）の条件を満足するものであることを特徴とする上記（１）〜（８）のいずれかに記載の反射シート、
式（１）：０．６×２ｒ×１０2／（ｐ／ａ＋（１００−ｐ）／ｂ）≦重量（ｇ／ｃｍ2）≦２．５×２ｒ×１０2／（ｐ／ａ＋（１００−ｐ）／ｂ）
但し、ｐ＝１００／（１＋（１００／ｖ―１）×ｂ／ａ）であり、
ｒ：使用した微細粒子の半径の平均値（ｃｍ）
ｐ：凹凸層中の微細粒子の割合（重量％）
ｖ：凹凸層中の微細粒子の割合（体積％）
ａ：用いた微細粒子の密度（ｇ／ｃｍ3）
ｂ：用いたバインダーの密度（ｇ／ｃｍ3）
（１０）微細粒子が、アクリル系粒子であることを特徴とする上記（９）に記載の反射シート。
【手続補正８】
【補正対象書類名】明細書
【補正対象項目名】００１６
【補正方法】変更
【補正の内容】
【００１６】
（１２）上記（1）〜（１１）のいずれかに記載の反射シートの高分子フィルム層（Ａ）側を接着面として、支持体に接着層を介して積層してなるリフレクター。
【手続補正９】
【補正対象書類名】明細書
【補正対象項目名】００１８
【補正方法】変更
【補正の内容】
【００１８】
（１４）高分子フィルム（Ａ）と支持体との接着強度が１００ｇ／ｃｍ以上であり、かつ、接着層の厚みが０．５μm以上５０μm以下であることを特徴とする上記（１２）または（１３）記載のリフレクター。
【手続補正１０】
【補正対象書類名】明細書
【補正対象項目名】００１９
【補正方法】変更
【補正の内容】
【００１９】
（１５）金属反射層（Ｃ）側を内側に折り曲げ、光源を覆うように設置して使用することを特徴とする上記（１２）〜（１４）に記載のリフレクター。
【手続補正１１】
【補正対象書類名】明細書
【補正対象項目名】００２０
【補正方法】変更
【補正の内容】
【００２０】
（１６）高分子フィルム（Ａ）と支持体との接着強度が１００ｇ／ｃｍ以上であり、かつ、接着層の厚みが０．５μm以上５０μm以下であり、かつ、金属反射層側の曲率半径が５ｍｍ以下であることを特徴とする上記（１５）に記載のリフレクター。
【手続補正１２】
【補正対象書類名】明細書
【補正対象項目名】符号の説明
【補正方法】変更
【補正の内容】
【符号の説明】
１０  銀あるいはアルミニウムを主体とする金属反射層
２０  凹凸層
３０  高分子フィルム
４０  接着層
５０  支持体
６０  ランプリフレクター
７０  蛍光管
８０  導光板